(57)【要約】【課題】光ディスクのラベル記録面に高品質のラベル画像の記録を可能とする。【解決手段】光ディスク１におけるディスク記録面とは別の位置にあるラベル記録面に光ビームの照射によりラベル記録を行う光ディスク装置であって、ラベル記録面上へのラベルの記録を、ディスク記録面のトラックに対する光ピックアップ２による光ビーム照射のトラッキング制御情報を用いて行う。【選択図】図１
2006031893.tif 000002
【特許請求の範囲】
【請求項１】
光ディスクにおけるディスク記録面とは別の位置にあるラベル記録面に光ビームの照射によりラベル記録を行う光ディスク装置であって、
前記ラベル記録面上へのラベルの記録に、前記ディスク記録面のトラックに対する光ピックアップによる光ビーム照射制御情報を用いる、ことを特徴とする光ディスク装置。
【請求項２】
前記光ビーム照射制御情報を記憶する記憶手段を備え、
前記ラベル記録面上へのラベルの記録に、前記記憶手段に記憶されている光ビーム照射制御情報を用いる、ことを特徴とする請求項１に記載の光ディスク装置。
【請求項３】
光ビームの照射位置を移動させる移動手段を備え、
前記記憶手段は、前記移動手段により行われる光ビーム照射制御情報を記憶する、ことを特徴とする請求項２に記載の光ディスク装置。
【請求項４】
前記移動手段を搭載した移送台を備え、
前記記憶手段は、前記移送台の移送により行われる光ビーム照射制御情報を記憶する、  ことを特徴とする請求項２に記載の光ディスク装置。
【請求項５】
光ビームの照射位置を移動させる移動手段と、
前記移動手段を搭載した移送台とを備え、
前記記憶手段は、前記移動手段により行われる光ビーム照射制御情報と前記移送台の移送により行われる光ビーム照射制御情報とを記憶する、ことを特徴とする請求項２に記載の光ディスク装置。
【請求項６】
前記移送台の移動に応じてカウント動作を行うカウント手段を備え、
前記記憶手段は、前記カウント手段のカウント値を前記移送台の移動による光ビーム照射制御情報として用いる、ことを特徴とする請求項４または５に記載の光ディスク装置。
【請求項７】
前記記憶手段は、その記憶内容が更新可能である、ことを特徴とする請求項１ないし６のいずれかに記載の光ディスク装置。
【請求項８】
光ディスクにおけるディスク記録面とは別の位置にあるラベル記録面に光ビームの照射によりラベル記録を行う光ディスク装置であって、
前記光ディスクを回転駆動する回転手段と、
前記光ビームの前記光ディスクに対する半径方向照射位置を検出する位置検出手段とを備え、
前記回転手段による前記光ディスクの半径方向任意の位置での周速度を、前記位置検出手段の検出出力に基づいて一定に制御することを特徴とする光ディスク装置。
【請求項９】
前記光ディスクに光ビームを照射する光ピックアップを当該光ディスクの半径方向に移送する移送手段を備え、
前記位置検出手段が、前記移送手段の移動に応じてカウント動作を行い、そのカウント値を光ビームの位置検出に用いる、ことを特徴とする請求項８に記載の光ディスク装置。
【請求項１０】
光ディスクにおけるディスク記録面とは別の位置にあるラベル記録面に光ビームの照射によりラベル記録を行う光ディスク装置であって、
前記ディスク記録面の垂直方向に光ビームのフォーカス位置を任意に移動させるフォーカスアクチュエータと、
前記ディスク記録面にデータの記録あるいは再生のいずれかを行うときの前記フォーカスアクチュエータへの駆動信号を記憶する記憶手段とを備え、
前記ラベル記録面に対する前記光ビームのフォーカス位置を、前記記憶手段に記憶されている前記フォーカスアクチュエータの駆動信号を用いて設定する、ことを特徴とする光ディスク装置。
【請求項１１】
前記ディスク記録面に対する光ビームの戻り光を検出する戻り光検出手段を備え、
前記ディスク記録面にデータの記録あるいは再生のいずれかを行うときの前記戻り光検出手段の検出に係る戻り光が所定以上となるときの前記フォーカスアクチュエータへの駆動信号を前記記憶手段に記憶させる、ことを特徴とする請求項１０に記載の光ディスク装置。
【請求項１２】
前記ディスク記録面に対する光ビームの戻り光から前記光ディスクに記録されているデータのジッタを検出するデータジッタ検出手段を備え、
前記ディスク記録面にデータの記録あるいは再生のいずれかを行うときの前記データジッタ検出手段の検出に係るデータジッタが所定以下となる前記フォーカスアクチュエータへの駆動信号を前記記憶手段に記憶させることを特徴とする請求項１０に記載の光ディスク装置。
【請求項１３】
前記ディスク記録面に対する光ビームの戻り光からトラックと光ビームスポットとの位置ずれを検出するトラッキングエラー検出手段を備え、
前記ディスク記録面にデータの記録あるいは再生のいずれかを行うときの前記トラッキングエラー検出手段の検出に係るトラッキングエラーの出力振幅が所定以上となる前記フォーカスアクチュエータへの駆動信号を前記記憶手段に記憶させる、ことを特徴とする請求項１０に記載の光ディスク装置。
【請求項１４】
前記記憶手段はディスク記録面にデータの記録あるいは再生のいずれかを行う毎に前記フォーカスアクチュエータへの駆動信号を記憶させる値として更新することを特徴とする請求項１０に記載の光ディスク装置。
【請求項１５】
光ディスクにおけるディスク記録面とは別の位置にあるラベル記録面に光ビームの照射によりラベル記録を行う光ディスク装置であって、
前記ラベル記録面に対するラベル記録の記録速度とラベル記録画像の解像度とのうちいずれを優先させるかのデータを記憶する記憶手段と、
前記記憶手段が記憶するデータを選択する選択手段と、
を備え、
前記選択手段により前記記憶手段から選択したデータが、ラベル記録の記録速度を前記解像度よりも優先する第１データのときは光ビームをラベル記録面上を高速移動させ、ラベル記録画像の解像度を前記記録速度よりも優先する第２データのときは、光ビームを低速でラベル記録面上を低速移動させる、ことを特徴とする光ディスク装置。
【請求項１６】
前記光ビームの速度を制御する速度制御手段を備え、
前記速度制御手段により、前記光ビームの前記速度を制御することを特徴とする請求項１５に記載の光ディスク装置。
【請求項１７】
光ディスクにおけるディスク記録面とは別の位置にあるラベル記録面に光ビームの照射によりラベル記録を行う光ディスク装置であって、
前記ラベル記録面に対するラベル記録の記録速度とラベル記録画像の解像度とのうちいずれを優先させるかのデータを記憶する記憶手段と、
前記記憶手段が記憶するデータを選択する選択手段と
を備え、
前記選択手段により前記記憶手段から選択したデータが、ラベル記録の記録速度を前記解像度よりも優先する第１データのときは前記ラベル記録面に照射する光ビーム径を大きくし、光ビームをラベル記録面上を高速移動させ、ラベル記録画像の解像度を前記記録速度よりも優先する第２データのときは前記ラベル記録面に照射する光ビーム径を小さくし、光ビームを低速でラベル記録面上を低速移動させる、ことを特徴とする光ディスク装置。
【請求項１８】
前記光ビーム径の大きさを制御する光ビーム径制御手段を備え、
前記光ビーム径制御手段により、前記光ビーム径の大きさを制御することを特徴とする請求項１７に記載の光ディスク装置。
【発明の詳細な説明】
【技術分野】
【０００１】
本発明は、光ディスクにおけるディスク記録面とは別のラベル記録面に光ビームの照射によりラベル記録を行う光ディスク装置に関する。
【背景技術】
【０００２】
近年のＩＴ産業の進展に伴い大容量のマルチメディア情報を記録する光ディスクの普及は目覚しく、現在では、ＣＤ−Ｒ，ＣＤ−ＲＷ，ＣＤ−ＲＯＭ，ＤＶＤ−ＲＡＭ，ＤＶＤ−ＲＯＭ等、各種の光ディスクが日常的に広く一般に使用されている。そして、光ディスクのディスク記録面に情報の書き込み（記録）や読み出し（再生）を行なうディスクドライブ等が普及している一方、そのディスク記録面の反対側の面（ラベル記録面）に、文字、画像、記号等を記録しておくことを可能としたラベルプリンタも普及してきている。このラベルプリンタとしては、光ディスク装置等の記録再生装置やパーソナルコンピュータとは別体単独構成としたタイプや、あるいは、これら記録再生装置やパーソナルコンピュータに内蔵したタイプ等がある。これらラベルプリンタとして例えば特許文献１には、光ディスクを一定の回転数で回転させ、所定の回転位置毎に光ピックアップを光ディスクの半径方向に所定量だけ駆動するようにした記録再生装置が開示されている。また、特許文献２には、光ディスクのラベル記録面と光ビームスポットとの位置ずれを制御するフォーカス制御が、光ディスクのラベル記録面に照射した光ビームの反射戻り光に基づいて光ビーム径を制御するようにした記録再生装置が開示されている。
【特許文献１】特開２００２−２０３３２１号公報
【特許文献２】特開２００３−２０３３４８号公報
【発明の開示】
【発明が解決しようとする課題】
【０００３】
特許文献１の光ディスク装置においては、光ディスクのラベル記録面に光ビームを集光するアクチュエータの経年変化等に起因して所定量の駆動信号に対して光ビーム位置がばらつくなどすると、光ディスクのラベル記録面に形成する記録画像の品質が劣化するという課題がある。
【０００４】
特許文献２の光ディスク装置においては、ラベル記録面の光反射率が著しく低下していたり、ラベル記録面に凹凸形状があるときに、ラベル記録面と光ビームとの位置ずれ量を検出できないために、ラベル記録面と光ビームとの位置ずれ、光ビーム径の制御ができないから、ラベル記録面に対する記録画像の品質が劣化するという課題がある。
【０００５】
さらには、ラベル記録面にラベル画像を記録する光ディスク装置として光ピックアップから照射される光ビームの強度を一定に制御して光ディスクの回転手段の回転数を変えつつ記録を行うＣＬＶ方式が提案されているが、光ビームの照射位置を特定するアドレス情報がラベル記録面に記録されていないので、回転手段の制御が不安定となる。その結果、ラベル記録面に形成する記録画像の品質が劣化するという課題がある。
【０００６】
さらにはまた、ラベル記録面の記録画像の形成に要する時間と画像の解像度とが一定であるので、高解像度でなくてもよいラベル記録面の記録に要する時間の短縮を図りたいというニーズに対応できないという課題がある。
【０００７】
したがって、本発明により解決すべき第１の課題は、トラックが無いラベル記録面に対して、ディスク記録面に対するトラッキング制御やトラバース制御と同等の制御により、高品質なラベル記録を可能にすることである。
【０００８】
本発明により解決すべき第２の課題は、アドレス情報が無いラベル記録面に対して、光ディスクの回転速度を一定にするＣＬＶ方式により、高品質なラベル記録を可能にすることである。
【０００９】
本発明により解決すべき第３の課題は、凹凸のあるラベル記録面に対して、ディスク記録面と同等のフォーカス制御により、高品質なラベル記録を可能にすることである。
【００１０】
本発明により解決すべき第４の課題は、記録速度を重視してのラベル記録と、画像の解像度を重視してのラベル記録とを選択可能にすることである。
【課題を解決するための手段】
【００１１】
（１）本発明第１による光ディスク装置は、光ディスクにおけるディスク記録面とは別の位置にあるラベル記録面に光ビームの照射によりラベル記録を行う光ディスク装置であって、前記ラベル記録面上へのラベルの記録を、前記ディスク記録面のトラックに対する光ビーム照射制御情報を用いて行うことを特徴とするものである。
【００１２】
この光ビーム照射制御情報はトラッキング制御とトラバース制御との両方の制御情報またはいずれか一方の制御情報でもよい。
また、ディスク記録面やラベル記録面は、平坦な面状であることが好ましい。ディスク記録面は光ディスクの一方の面であり、ラベル記録面は光ディスクの他方の面であることが好ましい。
【００１３】
ディスク記録面は、トラッキング制御やトラバース制御のための溝（トラック）が存在しており、ラベル記録面にはそのようなトラックは存在しない。
【００１４】
本発明第１の光ディスク装置によると、ラベル記録面にディスク記録面と同様なトラッキング制御用やトラバース制御用の溝が形成されて存在してなくても、それら制御と同等な制御により、ラベル記録面に対して高品質なラベル記録が可能となる。
【００１５】
なお、本発明第１の光ディスク装置は、前記光ビーム照射制御情報を記憶する記憶手段を備え、前記ラベル記録面上へのラベルの記録に、前記記憶手段に記憶されている光ビーム照射制御情報を用いることが好ましい。前記記憶手段に光ビーム照射制御情報を記憶させていることにより、継続的にラベル記録面に対しての高品質なラベル記録が可能となる。また、記憶手段に記憶する光ビーム照射制御情報を更新したり、変更したりできるから、より正確で高品質なラベル記録を容易に可能となる。
【００１６】
なお、本発明第１の光ディスク装置は、光ビームの照射位置を移動させる移動手段を備え、前記記憶手段は、前記移動手段により行われる光ビーム照射制御情報を記憶することが好ましい。光ビーム照射制御情報として前記移動手段によるデータを用いるから、正確なラベル記録が可能となる。この移動手段には、トラッキングアクチュエータや対物レンズを含むことができる。
【００１７】
なお、本発明第１の光ディスク装置は、前記移動手段を搭載した移送台を備え、前記記憶手段は、前記移送台の移送により行われる光ビーム照射制御情報を記憶することが好ましい。
【００１８】
なお、本発明第１の光ディスク装置は、光ビームの照射位置を移動させる移動手段と、前記移動手段を搭載した移送台とを備え、前記記憶手段は、前記移動手段により行われる光ビーム照射制御情報と前記移送台の移送により行われる光ビーム照射制御情報とを記憶することが好ましい。
【００１９】
なお、本発明第１の光ディスク装置は、前記移送台の移動に応じてカウント動作を行うカウント手段を備え、前記記憶手段は、前記カウント手段のカウント値を前記移送台の移動による光ビーム照射制御情報に用いることが好ましい。
【００２０】
なお、本発明第１の光ディスク装置は、前記記憶手段の記憶内容が更新可能であることが好ましい。
【００２１】
（２）本発明第２の光ディスク装置は、光ディスクにおけるディスク記録面とは別の位置にあるラベル記録面に光ビームの照射によりラベル記録を行う光ディスク装置であって、前記光ディスクを回転駆動する回転手段と、前記光ビームの前記光ディスクに対する半径方向照射位置を検出する位置検出手段とを備え、前記回転手段による前記光ディスクの半径方向任意の位置での周速度を、前記位置検出手段の検出出力に基づいて一定に制御することを特徴とするものである。
【００２２】
なお、本発明第２の光ディスク装置は、前記光ディスクに光ビームを照射する光ピックアップを当該光ディスクの半径方向に移送する移送手段を備え、前記位置検出手段が、前記移送手段の移動に応じてカウント動作を行い、そのカウント値を光ビームの位置検出に用いることが好ましい。位置検出手段には、対物レンズ等の移動による光ビームの半径方向照射位置を検出する検出手段や、光ピックアップを搭載して移送する移送台の移送による光ビームの半径方向照射位置を検出する検出手段、等を含む。
【００２３】
本発明第２の光ディスク装置によると、アドレス情報が無いラベル記録面に対して光ディスクの回転速度を一定にしたＣＬＶ方式にて高品質なラベル記録ができる。
なお、本発明第２の光ディスク装置では、前記位置検出手段が、前記移送手段の移動に応じてカウント動作を行い、そのカウント値を前記移送手段の位置検出に用いることが好ましい。
【００２４】
（３）本発明第３の光ディスク装置は、光ディスクにおけるディスク記録面とは別の位置にあるラベル記録面に光ビームの照射によりラベル記録を行う光ディスク装置であって、前記ディスク記録面の垂直方向に光ビームのフォーカス位置を任意に移動させるフォーカスアクチュエータと、前記ディスク記録面にデータの記録あるいは再生のいずれかを行うときの前記フォーカスアクチュエータへの駆動信号を記憶する記憶手段とを備え、前記ラベル記録面に対する前記光ビームのフォーカス位置を、前記記憶手段に記憶されている前記フォーカスアクチュエータの駆動信号を用いて設定することを特徴とするものである。
【００２５】
本発明第３の光ディスク装置によると、ラベル記録面に凹凸があっても、ディスク記録面に対するフォーカス制御と同等な制御により、ラベル記録面にフォーカスずれを防止して高品質なラベル記録を行うことが可能となる。
【００２６】
本発明第３の光ディスク装置は、前記ディスク記録面に対する光ビームの戻り光を検出する戻り光検出手段を備え、前記ディスク記録面にデータの記録あるいは再生のいずれかを行うときの前記戻り光検出手段の検出に係る戻り光が所定以上となるときの前記フォーカスアクチュエータへの駆動信号を前記記憶手段に記憶させることが好ましい。
【００２７】
本発明第３の光ディスク装置は、前記ディスク記録面に対する光ビームの戻り光から前記光ディスクに記録されているデータのジッタを検出するデータジッタ検出手段を備え、前記ディスク記録面にデータの記録あるいは再生のいずれかを行うときの前記データジッタ検出手段の検出に係るデータジッタが所定以下となる前記フォーカスアクチュエータへの駆動信号を前記記憶手段に記憶させることが好ましい。
【００２８】
本発明第３の光ディスク装置は、前記ディスク記録面に対する光ビームの戻り光からトラックと光ビームスポットとの位置ずれを検出するトラッキングエラー検出手段を備え、前記ディスク記録面にデータの記録あるいは再生のいずれかを行うときの前記トラッキングエラー検出手段の検出に係るトラッキングエラーの出力振幅が所定以上となる前記フォーカスアクチュエータへの駆動信号を前記記憶手段に記憶させることが好ましい。
【００２９】
本発明第３の光ディスク装置では、前記記憶手段はディスク記録面にデータの記録あるいは再生のいずれかを行う毎に前記フォーカスアクチュエータへの駆動信号を記憶させる値として更新することが好ましい。
【００３０】
（４）本発明第４の光ディスク装置は、光ディスクにおけるディスク記録面とは別の位置にあるラベル記録面に光ビームの照射によりラベル記録を行う光ディスク装置であって、前記ラベル記録面に対するラベル記録の記録速度とラベル記録画像の解像度とのうちいずれを優先させるかのデータを記憶する記憶手段と、前記記憶手段が記憶するデータを選択する選択手段とを備え、前記選択手段により前記記憶手段から選択したデータが、ラベル記録の記録速度を前記解像度よりも優先する第１データのときは光ビームをラベル記録面上を高速移動させ、ラベル記録画像の解像度を前記記録速度よりも優先する第２データのときは、光ビームを低速でラベル記録面上を低速移動させることを特徴とするものである。
【００３１】
本発明第４の光ディスク装置は、前記第１のデータのときは前記ラベル記録面に照射する光ビーム径を大きくし、ラベル記録画像の解像度を前記記録速度よりも優先する第２データのときは、前記ラベル記録面に照射する光ビーム径を小さくすることを特徴とするものである。
【００３２】
本発明第４の光ディスク装置は、前記光ビームの速度を制御する速度制御手段を備え、前記速度制御手段により、前記光ビームの前記速度を制御することが好ましい。
本発明第４の光ディスク装置は、前記光ビーム径の大きさを制御する光ビーム径制御手段を備え、前記光ビーム径制御手段により、前記光ビームの大きさを制御することが好ましい。
【００３３】
本発明第４の光ディスク装置によると、ラベル記録速度を重視してのラベル記録とラベル画像の解像度を重視してのラベル記録とのいずれの対応も可能となり、ユーザーの様々な要望に応えることができる。
【発明の効果】
【００３４】
本発明第１ないし第３においては、トラックが無く、アドレス情報も無く、さらに、凹凸のあるラベル記録面に対して、高品質なラベル記録が可能となる。また、本発明第４においては、ラベル記録速度を重視したラベル記録やラベル記録画像の解像度を重視してのラベル記録ができる。
【発明を実施するための最良の形態】
【００３５】
以下、添付した図面を参照して、本発明の実施の形態に係る光ディスク装置を説明する。
【００３６】
（１）本発明第１に対する実施の形態
（実施の形態１）
実施の形態１は、トラック（溝）が無いラベル記録面に対して、ディスク記録面と同様のトラッキング制御によりラベル記録することを可能としたものである。実施の形態１においては、ディスク記録面への情報記録に用いる光ビーム照射制御情報であるトラッキング制御情報を記憶しておき、この記憶しているトラッキング制御情報に従い、ラベル記録面に対するラベル記録を可能としたものである。
【００３７】
図１は、実施の形態１に係る光ディスク装置の構成を示す。符号１は光ディスクであり、実施の形態１において、この光ディスク１はトラック間隔（トラックピッチ）が０．７４（μｍ）であるＤＶＤ−ＲＯＭ、ＤＶＤ−Ｒ、ＤＶＤ＋Ｒ、ＤＶＤ−ＲＷ、ＤＶＤ＋ＲＷのいずれかであると仮定する。。光ディスク１は一方の面がディスク記録面として内周側から外周側にかけて円周方向に沿って案内溝（トラック）、また、溝の有無によりデータ、フラグ、アドレス等を示す情報が形成されている。光ディスク１の他方の面は、ラベル記録面として、ディスク記録面に記録したデータの識別を可能とする文字、あるいは画像等がラベルとして記録される。ラベル記録面には、ディスク記録面のようなトラック、アドレス情報記録用溝が存在しない。
【００３８】
２は光ピックアップであり、この光ピックアップ２はレーザ駆動手段２−１、レーザ２−２、カップリングレンズ２−３、ビームスプリッタ２−４、１／４波長板２−５、対物レンズ２−６、集光レンズ２−７、検出レンズ２−８，プラス一次光検出器２−９，マイナス一次光検出器２−１０，トラッキングアクチュエータ２−１１から構成されている。トラッキングアクチュエータ２−１１や対物レンズ２−６は、光ビームの照射位置を移動させる移動手段を構成する。これら光ピックアップ２の構成要素は周知であるからその詳細は省略する。対物レンズ２−６は、トラッキングアクチュエータ２−１１により光ディスク１のトラッキング制御方向に移動制御される。トラッキングアクチュエータ２−１１は第１のスイッチ８を介して、レンズシフト駆動手段７とトラッキング駆動手段６とからそれらの選択切り換えにより駆動電流が供給されて駆動されるようになっている。
【００３９】
３はトラッキングエラー検出手段である。光ディスク１はプラスチック材料で形成されその成形時の熱ひずみ等で反りやうねりがあり、その表面に上下の振れが発生する。また、光ディスク１を図示略のターンテーブルに載せたとき光ディスク１自体の重量によるたわみ、等により面振れ、トラック振れがある。そこで、トラッキングエラー検出手段３は、これら面振れやトラック振れによる光ビームのトラック上からの正規の位置からのずれ、つまりトラッキングエラーを検出するものであり、この検出を光ピックアップ２のマイナス一次光検出器２−１０の出力ＴＲ１，ＴＲ２に基づいて検出するものである。特に、トラッキングエラー検出手段３は、光ビームが光ディスク１のトラック上を横断する毎に基準電圧Ｖｒｅｆを中心にして上下に振幅（ＴＥ）が振れる検出出力を出力するように構成されている。
【００４０】
４はトラッキングエラーカウント手段であり、このトラッキングエラーカウント手段４は、トラッキングエラー検出手段３からの検出振幅（ＴＥ）が基準電圧Ｖｒｅｆを超える毎にカウント動作を行う。トラッキングエラーカウント手段４のカウント値は、光ビームがトラックを横断した回数を示す。
【００４１】
レンズシフト駆動手段７と、トラッキングエラー検出手段３と、トラッキングエラーカウント手段４との関係を図１０を参照して説明すると、図１０（ａ）はレンズシフト駆動手段７によるトラッキングアクチュエータ２−１１の駆動電流（ｍＡ）、横軸に時間（ｓｅｃ）をとる図、図１０（ｂ）は縦軸にトラッキングエラー検出手段３の検出出力ＴＥ（Ｖ）、横軸に時間（ｓｅｃ）をとる図、図１０（ｃ）は縦軸にトラッキングエラーカウント手段４のカウント値（本数）、横軸に時間（ｓｅｃ）をとる図である。まず、図１０（ａ）で示すようにレンズシフト駆動手段７の駆動電流が時刻ｔ０−ｔ１の間で一定の割合で０（ｍＡ）から１０（ｍＡ）へと増大側に変化する。この駆動電流でトラッキングアクチュエータ２−１１が駆動し、対物レンズ２−６がトラッキング方向に移動する。これによって、光ピックアップ１のトラッキングエラー出力が、図１０（ｂ）で示すようにトラッキングエラー検出手段３で検出される。そして、このトラッキングエラー検出手段３の検出出力（ＴＥ）が、図１０（ｃ）で示すようにトラッキングエラーカウント手段４でカウントされる。すなわち、トラッキングエラーカウント手段４のカウント値は、対物レンズ２−６の一定の移動による光ビームのトラック横断本数を意味する。
【００４２】
５は第１の記憶手段（記憶手段）であり、この第１の記憶手段５は、トラッキングエラーカウント手段４のカウント値を記憶する。このカウント値は更新可能である。これは、光ディスク装置の製造業者からの出荷時点と、ユーザーの使用時点とで、図１０に示す駆動電流に対するトラック横断本数が変化する場合があり、これを補正可能とするためである。
【００４３】
第１の記憶手段５の記憶内容を、図１１を参照して説明する。時間ｔ０−ｔ１において、レンズシフト駆動手段７の駆動電流が０（ｍＡ）から１０（ｍＡ）に増加したときのトラッキングエラーカウント手段４による横断トラック本数のカウント値は１２０（本）である。この場合、横断トラック本数１００本単位でラベル記録のためのトラッキング制御を行う場合、横断トラック本数１００本分に対応するレンズシフト駆動手段７の駆動電流は８．３（ｍＡ）である。第１の記憶手段５は、時間ｔ０−ｔ１の間で横断トラック本数１００本分のトラッキング制御を行う情報（トラッキング制御情報）として、８．３（ｍＡ）を記憶する。この記憶内容では横断トラック本数１００本に対する駆動電流が８．３（ｍＡ）であるが、トラッキングアクチュエータ２−１１等のばらつきや経年変化等により横断トラック本数１００本に対する駆動電流が８．３（ｍＡ）にならない場合がある。そのため、第１の記憶手段５の記憶内容は、これらばらつきや経年変化等の不具合を解消するため、その記憶内容が更新可能となっている。例えば、トラック横断本数１００本に対して工場出荷時点では駆動電流が８．３（ｍＡ）でもユーザーの使用時点では９．５（ｍＡ）の場合とかその他の場合もある。したがって、本実施の形態１では、これらに対処できるようになって好ましい。図１０は、説明の理解のための単なる一例にすぎない。
【００４４】
６はトラッキング駆動手段である。トラッキング駆動手段６は、回転モータ１１の回転に対応したＦＧ信号（光ディスク１の１回転毎に１回発生するパルス信号）に基づいてトラッキング時に光ビーム上をトラックが通過する速度を一定にしつつトラッキングアクチュエータ２−１１を駆動する。このトラッキング駆動手段６による光ビームの位置を図１２を参照して説明する。図１２（ａ）は縦軸にトラッキング駆動手段６による駆動電流と、横軸に時間（ｓｅｃ）をとる図であり、図１２（ｂ）は縦軸に光ディスク１の最内周位置を０（μｍ）とし、外周側へ向けての光ビームの位置、横軸に時間（ｓｅｃ）をとる図である。ここで、図１２（ａ）で示すように、駆動電流（ｍＡ）は横軸は１秒単位経過毎に８．３（ｍＡ）ずつ増加している。この１秒は、光ディスク１が１秒で１回転することを前提にしている。まず、時刻０−１．０秒以前では、トラッキング駆動手段６からの駆動電流は０（ｍＡ）であり、トラッキングアクチュエータ２−１１は作動しない。したがって、対物レンズ２−６もトラッキング方向に移動しないから、光ビームはトラックを横断していない。次に、時刻１．０−２．０秒の間では、トラッキング駆動手段６は、第1の記憶手段５が記憶している横断トラック本数１００本分に対応する駆動電流８．３（ｍＡ）をトラッキングアクチュエータ２−１１に与える。これによって、対物レンズ２−６がトラッキング方向に移動制御されて、光ビームはトラック１００本分を横断した位置にくる。ついで、時刻２．０−３．０秒の間では、トラッキング駆動手段６は、第1の記憶手段５が記憶している横断トラック本数１００本分に対応する駆動電流８．３（ｍＡ）をトラッキングアクチュエータ２−１１に与える。これによって、対物レンズ２−６がトラッキング方向にさらに移動制御されて、光ビームはトラック１００本分をさらに横断した位置にくる。これによって、光ビームは最初の位置からはトラック２００本分を横断した位置にくる。このようにして、順次に、光ビームを光ディスク１の内周側から外周側へと駆動することができる。
【００４５】
７は上記したレンズシフト駆動手段、８は第１のスイッチ、９はマイクロコンピュータである。マイクロコンピュータ９は、レンズシフト駆動手段７の駆動制御、第１のスイッチ８の選択切り替え制御、トラッキングエラーカウント手段４のカウント制御、レーザ駆動手段２−１の駆動制御を行う。
【００４６】
１０は光ピックアップ移送台であり、この移送台１０は、光ピックアップ２を移送して光ビームの照射位置を移動させる移動手段を構成する。移送台１０は、光ピックアップ２を移送することにより、光ビームを光ディスク１の半径方向に移動可能にしている。光ピックアップ移送台１０の移動もマイクロコンピュータ９により制御可能になっている。１１は、回転手段として、光ディスク１を回転駆動する回転モータである。
以上の構成を備えた光ディスク装置は、光ディスク１に対してディスク記録面とは別の位置にある面であるラベル記録面に、以下で説明するようにして、光ビームを照射することによりラベル記録を行うようになっている。
【００４７】
まず、光ディスク１のディスク記録面とラベル記録面とについて説明する。光ディスク１のディスク記録面は、有効データ記録領域として、最内周円と、最外周円との間に設定されており、かつ、その有効記録領域にはトラックが所定の等ピッチで半径方向に多数形成されている。これに対応して光ディスク１のラベル記録面は、有効ラベル記録領域として、上記最内周円と同じ位置の最内周円と上記最外周円と同じ位置の外周円との間に設定される。ただし、ディスク記録面とは異なり、ラベル記録面には溝によるトラックが形成されていない。図１２で示すように、ラベル記録面の最内周位置から７４（μｍ）の位置にラベル記録する場合であれば、トラッキング駆動手段６は、７４（μｍ）に対応する駆動電流の値である８．３（ｍＡ）のデータを第１の記憶手段５から得る。トラッキング駆動手段６は、第１の記憶手段５からの駆動電流データにより、トラッキングアクチュエータ２−１１を駆動する。これによって、光ビームはトラック１００本分、移動することができるので、このときの光ビームにより、ラベル記録を行うことができる。また、ラベル記録面の最内周位置から１４８（μｍ）の位置にラベル記録する場合であれば、トラッキング駆動手段６は、１４８（μｍ）に対応する駆動電流の値である１６．６（ｍＡ）のデータを第１の記憶手段５から得る。トラッキング駆動手段６は、第１の記憶手段５からの駆動電流データにより、トラッキングアクチュエータ２−１１を駆動する。これによって、光ビームはトラック２００本分、移動することができるので、このときの光ビームにより、ラベル記録を行うことができる。以降、同様にして、所要のトラック横断本数位置において光ビームの照射によるラベル記録が可能となる。
【００４８】
なお、本実施の形態１の光ディスク装置に用いる光ディスク１として、ＤＶＤ−ＲＯＭ、ＤＶＤ−Ｒ、ＤＶＤ＋Ｒ、ＤＶＤ−ＲＷ、ＤＶＤ＋ＲＷのいずれかを仮定したが、ＣＤ−ＲＯＭ、ＣＤ−Ｒ、ＣＤ−ＲＷのようにトラックピッチが１．６（μｍ）とした場合においても横断トラック本数を１００本分を４６本分とすることで同様の効果を実現することができる。またＤＶＤ−ＲＡＭのようにトラックピッチが０．６１５（μｍ）とした場合においても横断トラック本数を１２０本分とすることで同様の効果を実現することができる。
【００４９】
なお、本実施の形態１の光ディスク装置に用いる光ディスク１には、光ビームの照射熱に対する感熱層が設けられている。例えば、光ビームの照射により感熱層が発色して可視画像となる。ただし、感熱層が無い光ディスク１であっても、本発明は実施可能である。例えば、光ディスク１のラベル記録面に感熱発色性のあるラベルシートを貼り付け、このラベルシートにラベル記録を実施することも可能である。これらは以下に説明する他の実施の形態でも同様である。
【００５０】
なお、本実施の形態１の光ディスク装置は、ＣＬＶ（Ｃｏｎｓｔａｎｔ  Ｌｉｎｅａｒ  Ｖｅｌｏｃｉｔｙ）方式であるが、この方式に限定されるものではなく、ＣＡＶ（Ｃｏｎｓｔａｎｔ  Ａｎｇｕｌａｒ  Ｖｅｌｏｃｉｔｙ）方式でも実施可能である。これらは本発明第２を除き、以下に説明する他の実施の形態でも同様である。
【００５１】
なお、本実施の形態１の光ディスク装置は、トラッキング制御に関するものであったが、トラバース制御でも同様である。これらは以下に説明する他の実施の形態でも同様である。
【００５２】
なお、本実施の形態１の光ディスク装置は、光ディスク１の表面をディスク記録面とし、裏面をラベル記録面とするディスク形態に限定されるものではなく、同一面上において、部分的にトラッキング制御等によりデータを記録するディスク記録面（ディスク記録部分）があり、部分的にトラッキング制御等によりデータが記録されないラベル記録面（ラベル記録部分）が存在するディスクにも適用することができる。これらは以下に説明する他の実施の形態でも同様である。
【００５３】
なお、本実施の形態１の光ディスク１は、円盤型に限定されるものではなく、矩形形状やその他の形状のディスクにも同様に適用することができるものであり、名称に限定されるものではない。これらは以下に説明する他の実施の形態でも同様である。
【００５４】
（実施の形態２）
図２を参照して実施の形態２を説明する。図２は、実施の形態２に係る光ディスク装置のブロック構成を示す図であり、図１に示す光ディスク装置の構成と対応ないし類似する部分には同一の符号を付している。この符号の付し方は、以下に説明する他の実施においても同様である。本実施の形態２は、実施の形態１と同様にして、ディスク記録面への情報記録に用いる光ビームのトラッキング制御情報を記憶しておき、この記憶しているトラッキング制御情報に従い、ラベル記録面に対するラベル記録を可能としたものである。実施の形態２が実施の形態１と異なるのは、さらに、第２の記憶手段１２、第１の移送台駆動手段１３、第２の移送台駆動手段１４をさらに付加していることである。
【００５５】
以下、説明する。
【００５６】
実施の形態２においては、トラッキングエラー検出手段３、トラッキングエラーカウント手段４、第１の記憶手段５、トラッキング駆動手段６、レンズシフト駆動手段７により、実施の形態１と同様の第１の記憶手段５に対する図１０および図１１に示す対物レンズ２−６による第１のトラッキング制御情報の取得と記憶とを実施することに加えて、トラッキングエラー検出手段３、トラッキングエラーカウント手段４、第２の記憶手段１２、第１の移送台駆動手段１３、第２の移送台駆動手段１４により、第２の記憶手段１２に、図１３を参照して説明する移送台１０による第２のトラッキング制御情報の取得と記憶とを実施することに特徴がある。
【００５７】
すなわち、マイクロコンピュータ９は、第１の記憶手段５に対する上記第１のトラッキング制御情報の記憶の制御に加えて、第２の移送台駆動手段１４を駆動制御する。第２の移送台駆動手段１４は、第２のスイッチ１５を介して移送台１０に駆動電流を供給して該移送台１０を駆動する。移送台１０の駆動により、実施の形態１と異なり、光ピックアップ２を移送台１０がその駆動電流に対応した距離分だけトラッキング方向に移動する。この移動によるトラッキングエラーがトラッキングエラー検出手段３により検出され、さらに、トラッキングエラーカウント手段４により、移送台１０の移動による光ビームの横断トラック本数に対応するカウント値が第２の記憶手段１２に記憶される。第２の記憶手段１２においては、横断トラック本数４００本に相当する駆動電流として２９６（ｍＡ）を記憶する。そして、第１の移送台駆動手段１３は、ラベル記録面に対して、第２の記憶手段１２の記憶値である２９６（ｍＡ）の駆動電流に従い、第２のスイッチ１５を介して移送台１０を駆動して、横断トラック本数４００本分を単位として、光ピックアップ２をトラッキング方向に移動制御することができる。これは、第１の記憶手段５の記憶による制御では横断トラック本数が１００本毎であるのに、対して、第２の記憶手段１２の記憶による制御では横断トラック本数が４００本毎であるから、光ビームの制御速度を速くすることができ、ラベル記録の記録速度を向上できる。
【００５８】
本実施の形態２の動作を図１３を参照して説明すると、図１３（ａ）にはその横軸に示す回転モータ１１の１回転１秒毎に、縦軸に示す第１の記憶手段５の記憶である駆動電流が８．３（ｍＡ）単位で増加することが示され、図１３（ｂ）には横軸に示す回転モータ１１の１秒毎に、縦軸に示す対物レンズ２−６の移動距離が示され、図１３（ｃ）にはその横軸に示す回転モータ１１の４回転分までは移送台１０が移動せず、回転モータの４回転分を超えるときは移送台１０が横断トラック本数４００分だけ移動する状態が示されている。対物レンズ２−６は、光ビームの横断トラック本数が３００本を越えると、それ以上、トラッキング方向に移動できず、トラッキングアクチュエータ２−１１の駆動電流はゼロ（０）にされて対物レンズ２−６は元の位置に復帰する一方、移送台１０が横断トラック本数４００本の位置に移動し、光ビームの横断トラック本数は４００本になる。
【００５９】
以上により、実施の形態２によれば、実施の形態１と同様の作用効果を有することに加えて、対物レンズ２−６のトラッキング方向への移動距離が最大の限界となると、移送台１０をトラッキング方向へ移動することにより、光ビームがトラックを４００本以上横断可能として、ラベル記録の可能な範囲を拡大できるものとなっている。
【００６０】
なお、本実施の形態２においては、第２の記憶手段１２、第１の移送台駆動手段１３、第２の移送台駆動手段１４で構成し、レンズシフト駆動手段７、第１の記憶手段５、トラッキング駆動手段６を省略してもよい。
【００６１】
（実施の形態３）
図３を参照して実施の形態３を説明する。実施の形態３においては、実施の形態２とトラッキングエラー検出手段３をエンコーダ３ａ、トラッキングエラーカウント手段４をエンコーダカウント手段４ａに置き換えたものであり、それ以外の構成は実施の形態２と同様である。エンコーダカウント手段４ａは、移送台１０の移動に応じてカウント動作を行うカウント手段を構成する。実施の形態３においては、移送台１０の単位距離の移動に対応したパルス出力をエンコーダ３ａが出力する。即ち、エンコーダ出力は光ピックアップ２がトラック方向に移動した距離情報の出力である。エンコーダ３ａの出力から横断トラック本数４００本に相当するとき、エンコード情報をエンコーダカウント手段４ａに出力する。エンコーダカウント手段４ａは、そのエンコード情報をカウントし、そのカウント値を第２の記憶手段１２に出力する。それ以降は、実施の形態２と同様であるから、その詳細は省略する。
【００６２】
以上により、実施の形態３によれば、実施の形態１と同様の作用効果を有することに加えて、対物レンズ２−６のトラッキング方向への移動距離が最大の限界となると、移送台１０をトラッキング方向へ移動することにより、光ビームがトラックを４００本以上横断可能として、ラベル記録の可能な範囲を拡大できるものとなっている。
【００６３】
なお、本実施の形態２においては、第２の記憶手段１２、第１の移送台駆動手段１３、第２の移送台駆動手段１４で構成し、レンズシフト駆動手段７、第１の記憶手段５、トラッキング駆動手段６を省略してもよい。
【００６４】
（２）本発明第２に対する実施の形態
（実施の形態４）
図４を参照して実施の形態４を説明する。実施の形態４の光ディスク装置は、ラベル記録の精度を向上させて、記録むらを低減し、記録品質を上げるため、光ディスク１の光ピックアップ２に対する相対回転速度を、該光ディスク１の内周側においても、光ディスク１の外周側においても、一定とするものである。内周側で光ディスク１の回転速度を速くし、外周側で光ディスク１の回転速度を遅く制御するものである。
【００６５】
図４において、この光ディスク装置は、光ディスク１におけるディスク記録面とは別の位置である反対側の面にあるラベル記録面に光ビームの照射によりラベル記録を行うものであり、光ディスク１を回転駆動する回転手段としての回転モータ１１と、光ビームの光ディスク１に対する半径方向照射位置を検出する位置検出手段２０とを備える。そして、この光ディスク装置は、回転モータ１１による光ディスク１の半径方向任意の位置での周速度を、位置検出手段２０の検出出力に基づいて一定に制御可能とし、これによって内周側で光ディスク１の回転速度を速くし、外周側で光ディスク１の回転速度を遅く制御するＣＬＶ方式としたものである。
【００６６】
以下、詳しく説明すると、１は光ディスク、２は光ピックアップ、１０は、移送台、１１は回転モータ、２０は位置検出手段、２１は移送台駆動手段、２２はモータ制御手段、２３は光ディスク1の内周位置検出手段である。光ピックアップ２は、実施の形態１−３と異なり、レーザ駆動手段２−１、レーザ２−２、カップリングレンズ２−３、ビームスプリッタ２−４、１／４波長板２−５、対物レンズ２−６を備え、他の構成は省略されている。
【００６７】
具体的には、近接スイッチ等からなる内周位置検出手段２３に移送台１０を当接させて、リセット信号（ＲＥＳＥＴ）を位置検出手段２０に発行出力する。移送台１０が内周位置検出手段２３に当接する位置は、移送台１０に搭載している光ピックアップ２が光ディスク１の内周位置に位置していることを意味する。移送台１０を光ディスク１の内周側にまで移動させて光ピックアップ２を光ディスク１の内周位置に位置させてから、次に、移送台駆動手段２１から移送台１０に対して駆動信号を出力して移送台１０を光ディスク１の半径方向外周側に向けて移送させる。その一方で、移送台駆動手段２１からのその駆動信号を位置検出手段２０によりカウントさせて、移送台１０の光ディスク１の半径方向位置を検出する。すなわち、位置検出手段２０のカウント値は移送台１０の光ディスク１に対する半径方向位置を示す。この移送台１０の光ディスク１の半径方向位置の検出に応じてモータ制御手段２２は回転モータ１１のモータ駆動電流を決定して当該回転モータ１１にそのモータ駆動電流をフィードバックする。この場合、モータ制御手段２２においては、移送台１０が光ディスク１の半径方向位置が内周側から外周側に移動するに従い、回転モータ１１に対する駆動電流を小さく制御し、これによって、移送台１０に搭載している光ピックアップ２が光ディスク１の半径方向内周側に位置するときは回転モータ１１は早く回転駆動し、光ピックアップ２が光ディスク１の半径方向外周側に位置するときは、回転モータ１１は遅く回転駆動する。これによって本実施の形態４においては、光ピックアップ２は光ディスク１の半径方向任意の位置において光ディスク１との相対回転速度が一定に制御されるＣＬＶ方式が達成されることとなり、ラベル記録の精度が向上し、記録むらが低減する結果、ラベル記録の記録品質を上げることが可能となる。
【００６８】
図１４には、縦軸に光ディスク１の回転速度（ｒｐｍ）、横軸に移送台１０の半径方向位置（ｍｍ）が示されている。図１４から明らかであるように、移送台１０を光ディスク１の半径方向の外周側に移動させるに伴い、回転モータ１１の回転速度が低下し、その結果、光ディスク１の光ピックアップ２に対する相対回転速度が一定になる。
【００６９】
（実施の形態５）
図５を参照して実施の形態５を説明する。実施の形態５の光ディスク装置は、実施の形態４のそれとは、図４の位置検出手段２０が、エンコーダ２０ａとエンコーダカウント手段２０ｂとで構成されている以外は、同様である。実施の形態５においては、エンコーダ２０ａが移送台１０の移送位置をエンコードし、エンコーダカウント手段２０ｂはエンコーダ２０ａの出力をカウントする。
【００７０】
したがって、本実施の形態５においても、実施の形態４と同様に、光ディスク１の光ピックアップ２に対する相対回転速度を一定に制御（ＣＬＶ方式）することができ、ラベル記録の精度を向上させて、記録むらを低減し、記録品質を上げることが可能となる。
【００７１】
（３）本発明第３に対する実施の形態
（実施の形態６）
ラベル記録面は、ディスク記録面と同様なフォーカス制御ができない。実施の形態６においては、ラベル記録面においても、フォーカスエラーを検出し、ラベル記録のフォーカスずれを抑圧可能としたものである。
【００７２】
実施の形態６の光ディスク装置は、光ディスク１におけるディスク記録面とは別の位置である反対側の面にあるラベル記録面に光ビームの照射によりラベル記録を行うものであり、ディスク記録面の垂直方向に光ビームのフォーカス位置を任意に移動させるフォーカスアクチュエータ２−１２と、ディスク記録面にデータの記録あるいは再生のいずれかを行うときのフォーカスアクチュエータ２−１２への駆動信号を記憶する第３の記憶手段２８とを備え、ラベル記録面に対する光ビームのフォーカス位置を、第３の記憶手段２８に記憶されているフォーカスアクチュエータ２−１２への駆動信号を用いるようにしたものである。
【００７３】
以下、図６を参照して実施の形態６を説明する。
【００７４】
１は光ディスク、２は光ピックアップ、３はトラッキングエラー検出手段、６はトラッキング駆動手段、９はマイクロコンピュータ、１０は移送台、１１は回転モータ、２３はフォーカスエラー検出手段、２４は戻り光検出手段、２５はサーボ（ＤＳＰ：デジタルシグナルプロセッサ）、２６はフォーカス駆動手段、２７はフォーカス駆動信号測定手段、２８は第３の記憶手段である。また、本実施の形態６においては、トラッキングアクチュエータ２−１１に加えて、前記フォーカスアクチュエータ２−１２も設けられている。
【００７５】
光ピックアップ２のプラス一次光検出器２−９の出力は、フォーカスエラー検出手段２３に与えられる。光ピックアップ2のマイナス一次光検出器２−１０の出力は、トラッキングエラー検出手段３に与えられる。両一次光検出器２−９、２−１０の出力それぞれは、共に、戻り光検出手段２４に与えられる。フォーカスエラー検出手段２３、トラッキングエラー検出手段３および戻り光検出手段２４の出力それぞれはサーボ２５に与えられる。サーボ２５の出力は、トラッキング駆動手段６、フォーカス駆動手段２６、フォーカス駆動信号測定手段２７に与えられる。フォーカス駆動手段２６の出力は、フォーカスアクチュエータ２−１２に与えられる。フォーカス駆動信号測定手段２７の出力は、第３の記憶手段２８に与えられる。マイクロコンピュータ９は、フォーカス駆動手段２６、フォーカス駆動信号測定手段２７、レーザ駆動手段２−１を駆動制御する。なお、符号が上記実施の形態と同様とする他の構成部分の詳しい説明は省略する。
【００７６】
以上の構成において、実施の形態６の光ディスク装置においては、まず、フォーカスエラー検出手段２３にはプラス一次光検出器２−９からの検出が与えられ、トラッキングエラー検出手段３にはマイナス一次光検出器２−１０からの検出が与えられ、戻り光検出手段２４には、プラス一次光検出器２−９からの検出とマイナス一次光検出器２−１０からの検出とが与えられる。フォーカスエラー検出手段２３とトラッキングエラー検出手段３はそれぞれサーボ２５にその検出出力を出力する。サーボ２５においては、フォーカスエラー検出手段２３とトラッキングエラー検出手段３それぞれの検出出力に基づいて、戻り光検出手段２４の検出出力である戻り光が所定以上、好ましくは最大となるようフォーカスとトラッキングとの制御を行う。こうして、戻り光が所定以上、好ましくは最大となったとき、フォーカス駆動信号測定手段２７においては、サーボ２５から与えられるフォーカス駆動信号を測定し、その測定結果を第３の記憶手段２８に記憶させる。次に、ラベル記録時においては、第３の記憶手段２８に記憶されているフォーカス駆動信号に基づいてフォーカス駆動手段２６がフォーカスアクチュエータ２−１２を駆動する。これによって、ラベル記録面には、光ビームがフォーカスされて高品質なラベル記録が可能となる。
【００７７】
すなわち、実施の形態６の光ディスク装置においては、光ディスク１のラベル記録面に、ディスク記録面のような光ビームを当該ディスク記録面にデータの記録や再生を行うためにフォーカスさせるためのディスクラベル面からの反射光が著しく小さい、あるいはディスクラベル面が凹凸であることに起因してフォーカスエラーが検出できなくても、ラベル記録に際しては、光ビームをラベル記録面にフォーカスさせることが可能となり、高品質なラベル記録が可能となる。
【００７８】
なお、ディスク記録面にデータの記録や再生を行うときのトラッキングエラー検出手段３の検出に係るトラッキング制御情報が所定以上、好ましくは最大となるフォーカスアクチュエータ２−１２への駆動信号を第３の記憶手段２８に記憶させることが好ましい。
【００７９】
なお、実施の形態６においてはね第３の記憶手段２８の記憶内容は実施の形態１と同様に更新可能であることが好ましい。
【００８０】
（実施の形態７）
図７は、実施の形態７の光ディスク装置を示す。実施の形態７においても、実施の形態６と同様にラベル記録面においても、フォーカスエラーを検出し、ラベル記録のフォーカスずれを抑圧可能としたものである。
【００８１】
そして、実施の形態７の光ディスク装置は、実施の形態６の戻り光検出手段２４を、データジッタ検出手段２４ａに置き換えた構成とされている。データジッタ検出手段２４ａにおいても、戻り光検出手段２４と同様に、フォーカスされたときにデータジッタが所定以下、好ましくは最小となるときのフォーカス駆動信号をフォーカス駆動信号測定手段２７が測定し、第３の記憶手段２８にそのフォーカス駆動信号を記憶させる。したがって、実施の形態７においても、実施の形態６と同様に、ラベル記録時においては、第３の記憶手段２８に記憶されているフォーカス駆動信号に基づいてフォーカス駆動手段２６がフォーカスアクチュエータ２−１２を駆動する。これによって、ラベル記録面には、光ビームがフォーカスされて高品質なラベル記録が可能となる。
【００８２】
なお、実施の形態７においても、第３の記憶手段２８の記憶内容は実施の形態１と同様に更新可能であることが好ましい。
【００８３】
（実施の形態８）
図８は、実施の形態８の光ディスク装置を示す。実施の形態８においても、実施の形態６と同様にラベル記録面においても、フォーカスエラーを検出し、ラベル記録のフォーカスずれを抑圧可能としたものである。そして、実施の形態８が、実施の形態６と異なる構成は、戻り光検出手段２４が、トラッキングエラー振幅検出手段２４ｂに置き換えられたことである。トラッキングエラー振幅検出手段２４ｂにおいても、戻り光検出手段２４と同様に、フォーカスされたときにトラッキングエラー振幅が所定以下、好ましくは最小となるときのフォーカス駆動信号をフォーカス駆動信号測定手段２７が測定し、第３の記憶手段２８にそのフォーカス駆動信号を記憶させる。したがって、実施の形態８においても、実施の形態６と同様に、ラベル記録時においては、第３の記憶手段２８に記憶されているフォーカス駆動信号に基づいてフォーカス駆動手段２６がフォーカスアクチュエータ２−１２を駆動する。これによって、ラベル記録面には、光ビームがフォーカスされて高品質なラベル記録が可能となる。
【００８４】
なお、実施の形態８においても、第３の記憶手段２８の記憶内容は実施の形態１と同様に更新可能であることが好ましい。
【００８５】
（４）本発明第４に対する実施の形態
（実施の形態９）
図９は、実施の形態９の光ディスク装置を示す。
【００８６】
実施の形態９の光ディスク装置においては、光ディスク１におけるディスク記録面とは別の位置、すなわち、反対側の面であるラベル記録面に光ビームの照射によりラベル記録を行うものであり、ラベル記録面に対するラベル記録の記録速度とラベル記録画像の解像度との内いずれを優先させるかのデータを記憶する記憶手段として第４および第５の記憶手段３０，３１と、これら記憶手段３０，３１それぞれが記憶するデータを選択するための選択手段としての第４のスイッチ３２とを備え、第４のスイッチ３２により記憶手段３０，３１から選択したデータが、ラベル記録の記録速度を解像度よりも優先する第１データである記憶手段３０のデータであるときは、光ビームをラベル記録面上を高速で移動させ、ラベル記録画像の解像度を記録速度よりも優先する第２データである記憶手段３１のデータであるときは、光ビームを低速でラベル記録面上を移動させるようにしたものである。これによって、高解像度でなくてもよいラベル記録面の記録に要する時間の短縮を図りたいというニーズや、ラベル記録に時間を要しても高解像度のラベル記録画像を得たいというニーズに対応できるものとなる。
【００８７】
以下、さらに詳しく説明すると、１は光ディスク、２は光ピックアップ、９はマイクロコンピュータ、１０は移送台、１１は回転モータ、３０は第４の記憶手段、３１は第５の記憶手段、３２は第４のスイッチ、３３は第３の移送台駆動手段である。
【００８８】
実施の形態９においては、ラベル画像の解像度とラベル記録速度との関係において、
（ａ）ラベル記録速度を優先する第１モードのときは、ラベル画像の解像度を下げて、ラベル記録速度を上げるようにしたものである。
（ｂ）ラベル画像の解像度を優先する第２モードのときは、ラベル画像の解像度を上げてラベル記録速度を下げる。
【００８９】
すなわち、実施の形態９において、マイクロコンピュータ９は、記録速度を優先する第１モードにおいては、第４のスイッチ３２を第４の記憶手段３０側に切り替え、解像度を優先する第２モードにおいては、第４のスイッチ３２を第５の記憶手段３１側に切り替え制御する。図１５には第１モードを選択したときの第４の記憶手段３０の出力、およびディスク１のラベル面上の光ビーム位置の挙動を示している。図１５（ａ）は縦軸に第４の記憶手段３０の出力、図１５（ｂ）はディスク１のラベル面上の光ビーム位置を表し、横軸はともに回転モータ１１の回転数を表す。第４の記憶手段３０には、第３の移送台駆動手段３３を高速で駆動する駆動電流データが記憶されている。即ち、回転モータ１１が３回転する毎に５９２（ｍＡ）ずつ移送台１０への駆動電流を加算して出力する。その結果、ディスク１のラベル面上の光ビーム位置は図１５（ｂ）に示すように、４４４（μｍ）ずつ外周方向に移動する。一方、第５の記憶手段３１には、第３の移送台駆動手段３３を低速で駆動する駆動電流データが記憶されている。図１６には第２モードを選択したときの第５の記憶手段３１の出力、およびディスク１のラベル面上の光ビーム位置の挙動を示している。図１６（ａ）は縦軸に第５の記憶手段３０の出力、図１６（ｂ）はディスク１のラベル面上の光ビーム位置を表し、横軸はともに回転モータ１１の回転数を表す。回転モータ１１が３回転する毎に２９６（ｍＡ）ずつ移送台１０への駆動電流を加算して出力する。その結果、ディスク１のラベル面上の光ビーム位置は図１６（ｂ）に示すように、２２２（μｍ）ずつ外周方向に移動する。したがって、第１モードでは、第３の移送台駆動手段３３が高速で駆動される結果、移送台１０が光ディスク１のラベル記録面上を高速移動し、ラベル記録面にはラベル画像が解像度は落ちるが高速で記録される。第２モードでは、第３の移送台駆動手段３３が低速で駆動される結果、移送台１０が光ディスク１のラベル記録面上を低速移動し、ラベル記録面にはラベル画像が低速ではあるが解像度が上がった状態で記録される。
【００９０】
（実施の形態１０）
図１７を参照して実施の形態１０を説明する。図１７は、実施の形態１０に係る光ディスク装置のブロック構成を示す図であり、図９に示す光ディスク装置の構成と対応ないし類似する部分には同一の符号を付している。本実施の形態１０は、実施の形態９と同様にして、ラベル記録面にたるラベル記録の記録速度とラベル記録画像の解像度とのかんいずれを優先させるかのデータを記憶する記憶手段として第４および第５の記憶手段３０，３１と、これら記憶手段３０，３１それぞれが記憶するデータを選択するための選択手段としての第４のスイッチ３２とを備え、第４のスイッチ３２により記憶手段３０，３１から選択したデータが、ラベル記録の記録速度を解像度よりも優先する第１データである記憶手段３０のデータであるときは、光ビームをラベル記録面上を高速で移動させ、ラベル記録画像の解像度を記録速度よりも優先する第２データである記憶手段３１のデータであるときは、光ビームを低速でラベル記録面上を移動させるようにしたものである。
【００９１】
実施の形態１０が実施の形態９と異なるのは、さらに、第６の記憶手段３４、第７の記憶手段３５、第５のスイッチ３６、光ビーム径制御手段３７をさらに付加していることである。
【００９２】
以下、説明する。
【００９３】
実施の形態１０においては、第４のスイッチ３２により記憶手段３０，３１から選択したデータが、ラベル記録の記録速度を解像度よりも優先する第１データである記憶手段３０のデータであるときは、光ビームをラベル記録面上を高速で移動させ、ラベル記録画像の解像度を記録速度よりも優先する第２データである記憶手段３１のデータであるときは、光ビームを低速でラベル記録面上を移動させるようにしたことに加えて、第５のスイッチ３６により記憶手段３４、３５から選択したデータが、ラベル記録の記録速度を解像度よりも優先する第１のデータである記憶手段３４のデータであるときは、ラベル記録面に照射する光ビーム径の大きさを大きくし、ラベル記録画像の解像度を記録速度よりも優先させる第２データである記憶手段３５のデータであるときは、光ビーム径を小さくすることを特徴としたものである。光ビーム径制御手段３７は第５のスイッチ３６の出力に応じてフォーカスアクチュエータ２−１２を駆動して光ビーム径を制御する。
【００９４】
すなわち、第１あるいは第２のデータに基づいて光ビーム径の大きさを切り替えることにより、ディスク１が１回転することによりラベル記録面に照射する光ビーム面積を制御することができる。ラベル記録面に照射する光ビーム面積が大きくなれば、ディスクが１回転することにより記録できる可視画像面積が大きくなるので、トラック方向に移動する移送台１０の単位移動距離を大きくすることによって記録速度を大きくすることができる。一方、ラベル記録面に照射する光ビーム面積が小さくなれば、ディスクが１回転することにより記録できる可視画像面積も小さくなるので、トラック方向に移動する移送台１０の単位移動距離を小さくすることによってラベル記録画像の解像度を大きくすることができる。
【図面の簡単な説明】
【００９５】
【図１】本発明の実施の形態１に係る光ディスク装置のブロック図
【図２】本発明の実施の形態２に係る光ディスク装置のブロック図
【図３】本発明の実施の形態３に係る光ディスク装置のブロック図
【図４】本発明の実施の形態４に係る光ディスク装置のブロック図
【図５】本発明の実施の形態５に係る光ディスク装置のブロック図
【図６】本発明の実施の形態６に係る光ディスク装置のブロック図
【図７】本発明の実施の形態７に係る光ディスク装置のブロック図
【図８】本発明の実施の形態８に係る光ディスク装置のブロック図
【図９】本発明の実施の形態９に係る光ディスク装置のブロック図
【図１０】実施の形態１の第１の記憶手段に記憶させるデータの説明に用いる図
【図１１】実施の形態１の第１の記憶手段に記憶させるデータの演算の説明に用いる図
【図１２】実施の形態１の第１の記憶手段のデータによる制御の説明に用いる図
【図１３】実施の形態２の第１，第２の記憶手段それぞれのデータによる制御の説明に用いる図
【図１４】光ディスクの回転速度を一定制御するときのその説明に用いる図
【図１５】実施の形態９の第４の記憶手段のデータによる制御の説明に用いる図
【図１６】実施の形態９の第５の記憶手段のデータによる制御の説明に用いる図
【図１７】本発明の実施の形態１０に係る光ディスク装置のブロック図
【符号の説明】
【００９６】
１      光ディスク
２      光ピックアップ
２−１１  トラッキングアクチュエータ
３      トラッキングエラー検出手段
４      トラッキングエラーカウント手段
５      第１の記憶手段
６      トラッキング駆動手段
７      レンズシフト駆動手段
８      第１のスイッチ
９      マイクロコンピュータ
１０      移送台
【図１】
2006031893.tif 000003
【図２】
2006031893.tif 000004
【図３】
2006031893.tif 000005
【図４】
2006031893.tif 000006
【図５】
2006031893.tif 000007
【図６】
2006031893.tif 000008
【図７】
2006031893.tif 000009
【図８】
2006031893.tif 000010
【図９】
2006031893.tif 000011
【図１０】
2006031893.tif 000012
【図１１】
2006031893.tif 000013
【図１２】
2006031893.tif 000014
【図１３】
2006031893.tif 000015
【図１４】
2006031893.tif 000016
【図１５】
2006031893.tif 000017
【図１６】
2006031893.tif 000018
【図１７】
2006031893.tif 000019